(57)【要約】【課題】組み付け部材に寸法のバラツキがあったとしても走行中に異音を発生させることのないうえに、外観を劣化させることのない計器の組み付け構造を提供する。【解決手段】ハウジングアッパ１１に形成された円筒開口部１１ａに透明なカバーフロント１２が配設され、ハウジングアッパ１１の円筒開口部１１ａの張出周縁１１ｇとカバーフロント１２に被着されるライトカバー１３の円周底面１３ｅとの間にカバーフロント１２の周縁が挟持される計器の組み付け構造１０であって、ハウジングアッパ１１の円筒開口部１１ａの張出周縁１１ｇに略平板状の押圧片部１１ｃが備えられ、カバーフロント１２に向けて延出された押圧片部１１ｃの接触ピン部１１ｍ、（１１ｍ）がカバーフロント１２に圧接し、且つその裏面１２ｅに沿って摺動して押圧片部１１ｃが撓むように形成されている。【選択図】図１
2007256241.tif 000002
【特許請求の範囲】
【請求項１】
ハウジング部材に形成された開口部に透光性が備えられた板状部材が配設され、前記ハウジング部材の開口部の周縁と前記板状部材に被着されるカバー部材の周縁との間に前記板状部材の周縁が挟持される計器の組み付け構造であって、
前記ハウジング部材の開口部の周縁に長尺状又は板状の押圧部が複数備えられ、
前記板状部材に向けて延出された前記押圧部の先端部は前記板状部材に圧接されると前記板状部材の裏面に沿って摺動して前記押圧部が撓むように形成されていることを特徴とする計器の組み付け構造。
【発明の詳細な説明】
【技術分野】
【０００１】
この発明は、例えば車両のインストルメントパネルに搭載される計器の組み付け構造に関するものである。
【背景技術】
【０００２】
従来、車両のインストルメントパネルに搭載される車両用計器の一般的構造は、図８に示すように、計器ケース１５と、略平板状の見返し板１７と、その見返し板１７の前面に被着される透明な表ガラス１６とから形成されている（特許文献１参照）。
【０００３】
そして、計器ケース１５の内部にスピードメータなどの計器本体１８、１８が複数個収納されるようになっている。
【０００４】
また、計器ケース１５には、その底部からケース内に突出する照明バルブ１９、１９が突設されると共に、計器本体１８、１８間には一方の計器照明が他方の計器本体１８側に漏れないように仕切り板１５ａが一体に立設されている。
【０００５】
ところで、この車両用計器においては、計器ケース１５の略中央に立設された仕切り板１５ａの先端面と見返し板１７の下面との間に微少隙間がある場合に生じる運転時の異音を抑止するために以下のような構造が設けられている。
【０００６】
図８に示すように、表ガラス１６の周縁部１６ａ、１６ａは、計器ケース１５の周縁部１５ｂ、１５ｂの外側を覆うように計器ケース１５側に折り曲げられている。
【０００７】
また、この周縁部１６ａ、１６ａより内側の表ガラス１６の裏面には、図８の紙面に垂直な方向に沿って、見返し板１７側に突出する突起１６ｂ、１６ｂが形成されている。
【０００８】
これに対して、計器ケース１５の周縁部１５ｂ、１５ｂは、表ガラス１６の周縁部１６ａ、１６ａと突起１６ｂ、１６ｂの間の裏面部分に向かって上方に折り曲げられている。
【０００９】
これにより、見返し板１７の周縁部１７ａ、１７ａより内側の部分は表ガラス１６の両側に設けられた突起１６ｂ、１６ｂによって計器ケース１５側に湾曲変形され、見返し板１７の２つの穴１７ｂ、１７ｂに挟まれた部分は、仕切り板１５ａの先端に対して弾性接触している。
【特許文献１】特開平７−６３５８４号公報
【発明の開示】
【発明が解決しようとする課題】
【００１０】
しかしながら、上記した従来の車両用計器の構造では、表ガラス１６の両側に形成された突起１６ｂ、１６ｂを見返し板１７の周縁部１７ａ、１７ａに圧接させているので、見返し板１７と突起１６ｂ、１６ｂとが接触する接触部分に傷が付いて、その傷が表ガラス１６側に露出して外観が悪くなるおそれがある。
【００１１】
また、計器ケース１５と表ガラス１６の双方に突起１５ｂ、１６ｂを形成しなければならないので、その分、加工が増えて、製造効率が悪くなるという問題がある。
【００１２】
そこで本発明は、組み付け部材に寸法のバラツキがあったとしても走行中に異音を発生させることのないうえに、外観を劣化させることのない計器の組み付け構造を提供することを目的とする。
【課題を解決するための手段】
【００１３】
前記目的を達成するために本発明は、ハウジング部材に形成された開口部に透光性が備えられた板状部材が配設され、前記ハウジング部材の開口部の周縁と前記板状部材に被着されるカバー部材の周縁との間に前記板状部材の周縁が挟持される計器の組み付け構造であって、前記ハウジング部材の開口部の周縁に長尺状又は板状の押圧部が複数備えられ、前記板状部材に向けて延出された前記押圧部の先端部は前記板状部材に圧接されると前記板状部材の裏面に沿って摺動して前記押圧部が撓むように形成されていることを特徴とする。
【発明の効果】
【００１４】
本発明によれば、ハウジング部材に備えられた押圧部により板状部材を圧接して、板状部材をカバー部材に密着して保持させることにより、板状部材は開口部の周縁側に接触しないので、走行中の車両の振動により発生する異音をなくすことができる。
【００１５】
また、板状部材に向けて延出された押圧部の先端部が板状部材に圧接されると板状部材の裏面に沿って摺動して押圧部が撓むように形成することにより、押圧部と板状部材とが圧接しても板状部材に傷が付かず、外観品質を良くすることができる。
【発明を実施するための最良の形態】
【００１６】
以下、本発明の係る計器の組み付け構造を図面に基づいて実施例ごとに説明する。
【実施例１】
【００１７】
図２は本発明の実施例１に係る計器の組み付け構造１０を示す分解斜視図である。
【００１８】
尚、以降の説明において、計器の組み付け構造１０の運転者側から見える側を前面とし、運転者側から見ることのできない側を裏面とする。
【００１９】
図２に示すように、ハウジング部材としてのハウジングアッパ１１は樹脂製の材料から略楕円筒状に形成されている。また、ハウジングアッパ１１には、その前面側の楕円状底面の焦点付近を略円筒状に貫通する開口部としての円筒開口部１１ａ、１１ａがそれぞれ一体に形成されている。さらに、その円筒開口部１１ａ、１１ａの外周面はハウジングアッパ１１の楕円状底面から前面側に向けて突出するように延出されている。
【００２０】
また、円筒開口部１１ａ、１１ａ同士は、ハウジングアッパ１１の楕円状底面の長軸方向に沿って形成された開口部としての連結開口部１１ｂによって連結されている。
【００２１】
尚、以降の構成の説明において、円筒開口部１１ａ、１１ａなどの双方に共通する構成に関しては、一方の構成のみ説明して、他方については省略する。
【００２２】
円筒開口部１１ａには、その前面側の円周端縁から円筒開口部１１ａの中心方向に湾曲して張り出す周縁としての円弧状の張出周縁部１１ｇと、張出周縁部１１ｇと同一断面形状を有する周縁としての円弧状の部分張出周縁部１１ｈとが一体に形成されている。尚、張出周縁部１１ｇと部分張出周縁１１ｈ同士は円筒開口部１１ａの円周方向に離間して配設されている。
【００２３】
一方、ハウジングアッパ１１の円筒開口部１１ａの裏面側には透光性が備えられた板状部材としての略円盤状で透明な樹脂製のカバーフロント１２が設けられ、ハウジングアッパ１１の裏面側から円筒開口部１１ａに装着されるようになっている。
【００２４】
このカバーフロント１２の上縁には、径方向に張り出す張出縁部１２ａが形成され、その張出縁部１２ａの外周縁の中央位置には凹溝１２ｄが形成されている。また、カバーフロント１２には、その上縁から円周方向両側にかけて張出側縁部１２ｂ、１２ｂがそれぞれ形成されている。さらに、カバーフロント１２の下縁の円周方向の近傍には径方向に張り出す張出縁部１２ｃ、１２ｃがそれぞれ形成されている。
【００２５】
他方、カバーフロント１２の裏面側にはカバーフロント１２に被着される略円筒状で樹脂製のライトカバー１３が設けられている。尚、ライトカバー１３の前面側の円周底面１３ｅは、組み付け時にカバーフロント１２の周縁と接触するようになっている。
【００２６】
一方、ハウジングアッパ１１の前面側には、略円筒状で樹脂製のフロントフレーム１４が設けられ、円筒開口部１１ａの前面側から装着されるようになっている。
【００２７】
このフロントフレーム１４は、内、外の２つの略円筒状の側壁１４ａ、１４ｂを互いに重ね合わせて、その内、外の２つの側壁１４ａ、１４ｂの前面側の円周端縁同士を一体に連結することにより形成されている。
【００２８】
また、内側壁１４ａは、その円周方向の下縁から上縁に向かうにつれて裏面側に張り出す張出量が次第に大きくなるように形成されている。また、内側壁１４ａの外周面には、内側壁１４ａの張出方向に沿って延びる長尺状と短片状のガイド片と、短片状のガイドの間に位置する係止片が一体に形成されている。
【００２９】
さらに、外側壁１４ｂの裏面側円周端面の下縁には、裏面側に二股に分かれて突出する鉤状係止片１４ｃ、１４ｃが突設されている。尚、上記複数のガイド片は、ハウジングアッパ１１の張出周縁部１１ｇに形成された後述する凹溝１１ｐ、・・・に嵌挿され、鉤状係止片は張出周縁部１１ｇと部分張出周縁部１１ｈとの間の隙間ｄに挿入係止されるようになっている。これにより、フロントフレーム１４がハウジングアッパ１１に位置決め固定されるようになっている。
【００３０】
ところで、ハウジングアッパ１１の張出周縁部１１ｇの内周縁には、その円周方向に沿って押圧部としての押圧片部１１ｃ、１１ｃと、ガイド用の起立片部１１ｄ、１１ｄ、１１ｆ、１１ｆと、ガイド兼係止用の係止片部１１ｅ、１１ｅとがハウジングアッパ１１の裏面側に延出されるように一体成形されている。しかも、図３（ａ）に示すように、起立片部１１ｄ、１１ｄ間、起立片部１１ｆ、１１ｆ間、及び係止片部１１ｅ、１１ｅの各固定端の間のそれぞれの張出周縁部１１ｇには、円筒開口部１１ａの中心方向に向けて開放する凹溝１１ｐ、・・・がその円周方向に沿ってそれぞれ形成されている。
【００３１】
また、図３（ｂ）に示すように、押圧片部１１ｃの先端は、起立片部１１ｄ、１１ｄ、１１ｆ、１１ｆや係止片部１１ｅの先端よりも裏面側に突出するように形成されている。
【００３２】
さらに、係止片部１１ｅの張出周縁部１１ｇから２股に分かれて突出する突起部の一方の先端には、その突起部の側面に沿ってカバーフロント１２側に突出する押え片１１ｑが一体に形成されている。尚、この押え片には、カバーフロント１２の張出側縁部１２ｂの下縁が係止されるようになっている。
【００３３】
また、起立片部１１ｄ、１１ｄ、１１ｆ、１１ｆや係止片部１１ｅの固定端から先端までの高さは、それぞれの先端を結ぶ線Ｌ（図３（ｂ）参照）が、カバーフロント１２の湾曲する裏面１２ｅに沿うように設定されている。尚、カバーフロント１２の組み付け時に、各部の先端はカバーフロント１２の裏面１２ｅと接触するようになっている。
【００３４】
また、図３（ａ）、（ｂ）に示すように、張出周縁部１１ｇと部分張出周縁部１１ｈの円周方向下縁付近の内周縁には、接触片部１１ｎ、１１ｎが一体に設けられている。
【００３５】
また、接触片部１１ｎ、１１ｎには、カバーフロント１２の裏面１２ｅの湾曲に沿うように円筒開口部１１ａの円周方向に沿って湾曲する湾曲面（図３（ｂ）の線Ｌと接触片部１１ｎとが接触する接触面）が形成されている。尚、この接触片部１１ｎ、１１ｎの湾曲面には、カバーフロント１２の張出縁部１２ｃがハウジングアッパ１１の裏面側から接触するようになっている。
【００３６】
一方、図４に示すように、ハウジングアッパ１１の裏面側には、楕円状に開放する楕円状開口部１１ｉが形成されている。このハウジングアッパ１１の楕円状開口部１１ｉの周縁には嵌合係止用の突起部などが一体成形されている。
【００３７】
この突起部などによりハウジングアッパ１１の裏面側に装着されるタコメータなどの計器本体が設けられたロアハウジングが嵌合係止されるようになっている（図示省略）。
【００３８】
また、ハウジングアッパ１１の楕円状開口部１１ｉの内周面と円筒開口部１１ａの内周面との間には、円筒開口部１１ａに向けて下り傾斜する傾斜面部１１ｊが形成されている。
【００３９】
さらに、その傾斜面部１１ｊには、その円周方向に沿って所定の角度をおいて溶着接合部１１ｋ、・・・が立設されている。また、傾斜面部１１ｊには、その円周方向に沿って傾斜面部１１ｊから裏面側に向かって突出する突起１１ｌ、１１ｌがそれぞれ立設されている。
【００４０】
ところで、ハウジングアッパ１１の裏面側に設けられたライトカバー１３には、その円筒状の側壁１３ａの外周面に沿って囲うように張り出す張出壁部１３ｂ、１３ｂが側壁１３ａの前面側端縁から延出されている。
【００４１】
また、その張出壁部１３ｂ、１３ｂの裏面側端縁にはライトカバー１３の径方向に突出するフランジ部１３ｃ、・・・が張出壁部１３ｂ、１３ｂの円周方向に沿ってそれぞれ形成されている。さらに、そのフランジ部１３ｃ、・・・の間に位置する張出壁部１３ｂの裏面側端縁には、径方向に突出する略半円盤状の突起片１３ｄ、１３ｄが形成され、その突起片１３ｄ、１３ｄには貫通孔が形成されている。
【００４２】
ライトカバー１３の組み付け時には、ライトカバー１３の突起片１３ｄ、１３ｄの貫通孔が傾斜面部１１ｊの突起１１ｌ、１１ｌの先端部に嵌挿されるようになっている。また、ライトカバー１３のフランジ部１３ｃ、・・・が、ハウジングアッパ１１の傾斜面部１１ｊに形成された溶着接合部１１ｋ、・・・の裏面側上部に溶着固定される。これにより、ライトカバー１３がハウジングアッパ１１に固定されるようになっている。
【００４３】
また、ライトカバー１３とハウジングアッパ１１との間に挟持されるカバーフロント１２は、その張出縁部１２ａの凹溝１２ｄが傾斜面部１１ｊの突起１１ｌの先端縁部に嵌挿されるようになっている。
【００４４】
さらに、上述したように、カバーフロント１２の張出側縁部１２ｂ、１２ｂの下縁は係止片部１１ｅ、１１ｅの押え片１１ｑ、１１ｑにより係止されており（図３（ｂ）参照）、この２点の係止と張出縁部１２ａの突起１１ｌに対する嵌挿とを合わせた３点により、円筒開口部１１ａの円周方向に対するカバーフロント１２の円周方向の位置決めがなされる。
【００４５】
一方、図５に示すように、略平板状の押圧片部１１ｃは、その前面側端縁部が円筒開口部１１ａの張出周縁部１１ｇの内周縁に一体となるように固定されている。
【００４６】
また、押圧片部１１ｃの前面側端縁部から延出される板状部分が、円筒開口部１１ａの径方向に対して湾曲して撓み変形するように、押圧片部１１ｃは弾性を有している。
【００４７】
さらに、押圧片部１１ｃの裏面側端縁部には、カバーフロント１２の前面側に向けてＵ字状に分かれて突出する接触ピン部１１ｍ、１１ｍが形成されている。
【００４８】
しかも、その接触ピン部１１ｍ、１１ｍの先端縁部には湾曲面１１ｒ、１１ｒが形成されている。この湾曲面１１ｒ、１１ｒは円筒開口部１１ａの内周面と対向する押圧片部１１ｃの一方の平板面の上端から他方の平板面に向けて下るように湾曲している。
【００４９】
次に、本発明の実施例１に係る計器の組み付け構造１０の作用について説明する。
【００５０】
図１（ａ）は、ハウジングアッパ１１の裏面側にカバーフロント１２とライトカバー１３とが装着される前の図４に示すような分解状態からハウジングアッパ１１の円筒開口部１１ａの周縁に向けてカバーフロント１２とライトカバー１３とが装着された後の状態を示している。
【００５１】
図１（ａ）に示すように、カバーフロント１２は、円筒開口部１１ａの張出周縁部１１ｇに形成された押圧片部１１ｃ、１１ｃや起立片部１１ｄ、１１ｄ、１１ｆ、１１ｆなどとライトカバー１３の円周底面１３ｅとの間に挟持されている。
【００５２】
この組み付け状態では、図１（ｂ）に示すように、まず、押圧片部１１ｃの接触ピン部１１ｍ、（１１ｍ）が、カバーフロント１２の裏面１２ｅに接触して圧接される。
【００５３】
そして、その接触するカバーフロント１２の裏面１２ｅに沿って、接触ピン部１１ｍ、（１１ｍ）の湾曲面１１ｒ、（１１ｒ）が摺動することにより、接触ピン部１１ｍ、（１１ｍ）が円筒開口部１１ａの径方向（図１（ｂ）の矢印Ａの方向）に導かれる。即ち、押圧片部１１ｃは円筒開口部１１ａの径方向に撓み変形するようになっている。
【００５４】
また、押圧片部１１ｃ、１１ｃによってカバーフロント１２が圧接されることにより、カバーフロント１２はライトカバー１３の円周底面１３ｅに密着して保持されるようになっている。
【００５５】
従って、仮に、カバーフロント１２の寸法のバラツキにより、組み付け後にハウジングアッパ１１の起立片部１１ｄ、１１ｄなどの先端とカバーフロント１２との間に隙間が生じていてもカバーフロント１２はライトカバー１３に密着しているので、走行中の車両の振動により起立板部材１１ｄ、１１ｄなどに接触せず、走行中の車両の振動によって発生する異音をなくすことができる。
【００５６】
さらに、押圧片部１１ｃには、円筒開口部１１ａの径方向に撓むような弾性を備え、且つその先端部に湾曲面１１ｒ、１１ｒが形成されているので、押圧片部１１ｃとカバーフロント１２とが圧接して摺動してもカバーフロント１２に傷が付かず、外観品質を良くすることができる。
【００５７】
また、この計器の組み付け構造１０においては、押圧片部１１ｃ、１１ｃをハウジングアッパ１１に一体成形しておき、ハウジングアッパ１１とライトカバー１３とを溶着固定することのみで、カバーフロント１２をハウジングアッパ１１とライトカバー１３との間に挟持することができる。
【００５８】
即ち、ハウジングアッパ１１又はライトカバー１３のどちらかに係止爪や係止孔を設けてカバーフロント１２を固定する必要がなく、しかも、ハウジングアッパ１１又はライトカバー１３に固定用の係止爪や係止孔を取り付けるための余分なスペースを形成する必要もないので、その分、加工が減り、製造効率を良くすることができる。
【実施例２】
【００５９】
上記実施例１に係る計器の組み付け構造１０においては、押圧片部１１ｃの接触ピン部１１ｍ、１１ｍがカバーフロント１２の裏面１２ｅに圧接して押圧片部１１ｃ、１１ｃが円筒開口部１１ａの径方向に撓むようになっている。
【００６０】
このような、撓み変形の態様は上記実施例１の押圧片部１１ｃの変形態様に限られるものではなく、この実施例２では、押圧片部１１１ｃの接触ピン部１１１ｍ、１１１ｍがカバーフロント１２の裏面１２ｅに圧接して接触ピン部１１１ｍ、１１１ｍが円筒開口部１１ａの円周方向に撓むようになっている。
【００６１】
尚、以降の実施例２に係る計器の組み付け構造１００において、実施例１に係る計器の組み付け構造１０と共通する構成に関しては同一の符号を用いて説明する。
【００６２】
図６（ａ）、（ｂ）に示すように、実施例２に係る計器の組み付け構造１００において、ハウジングアッパ１１の円筒開口部１１ａの張出周縁部１１ｇには略平板状の押圧片部１１１ｃ、１１１ｃが一体成形されている。
【００６３】
また、この押圧片部１１１ｃの裏面側端縁部には、Ｕ字状に分かれて裏面側に突出する接触ピン部１１１ｍ、１１１ｍが形成されている。しかも、その接触ピン部１１１ｍ、１１１ｍの先端縁部には湾曲面１１１ｒ、１１１ｒが形成されている。
【００６４】
この湾曲面１１１ｒ、１１１ｒは、押圧片部１１１ｃの両側面の先端から接触ピン部１１１ｍ、１１１ｍ同士の互いに対向する内側面に向けて下るように湾曲している。
【００６５】
従って、図７（ａ）、（ｂ）に示すように、カバーフロント１２をハウジングアッパ１１とライトカバー１３との間に挟持した際に、まず、押圧片部１１１ｃの接触ピン部１１１ｍ、１１１ｍはカバーフロント１２の裏面１２ｅに接触して圧接される。
【００６６】
そして、その接触するカバーフロント１２の裏面１２ｅに沿って、接触ピン部１１１ｍ、１１１ｍの湾曲面１１１ｒ、１１１ｒが摺動することにより、接触ピン部１１１ｍ、１１１ｍは円筒開口部１１ａの円周方向（図７（ｂ）の矢印Ｂ、Ｂの方向）に導かれる。
【００６７】
即ち、押圧片部１１１ｃの接触ピン部１１１ｍ、１１１ｍは、円筒開口部１１ａの円周方向に向けて略放物線状に広がるように撓み変形するようになっている。
【００６８】
尚、本発明の実施例２に係る計器の組み付け構造１００の作用は上記した実施例１の計器の組み付け構造１００の作用と略同一なので省略する。
【００６９】
以上、図面を参照して、本発明の実施の形態を詳述してきたが、具体的な構成は、この実施の形態に限らず、本発明の要旨を逸脱しない程度の設計的変更は、本発明に含まれる。
【００７０】
例えば、上記実施例１に係る押圧片部１１ｃは円筒開口部１１ａの径方向に撓むように形成されているが、これに限定されるものではなく、組み付け時にフロントフレーム１４の内側壁１４ａに接触しない程度の撓み変形量でカバーフロント１２をライトカバー１３に密着させることができるならば、押圧片部１１ｃを円筒開口部１１ａの中心方向に撓ませてもよい。
【００７１】
また、上記実施例１に係る押圧片部１１ｃの裏面側端縁部には、接触ピン部１１ｍ、１１ｍが形成されているが、接触ピン部１１ｍ、１１ｍが形成されていない平板状の押圧片部の裏面側上端を直接カバーガラス１２に圧接させて撓ませるようにしてもよい。
【００７２】
更に、押圧片部１１ｃを円筒開口部１１ａの張出周縁部１１ｇ又は部分張出周縁部１１ｈに複数設けて、カバーフロント１２に対して押圧片部１２ｃ、・・・を均等に圧接させるようにしてもよい。
【００７３】
また、円筒開口部１１ａの張出周縁部１１ｇ又は部分張出周縁部１１ｈに、例えば、上記実施例１、２に係る接触ピン部１１ｍ、１１１ｍのような長尺状に形成された押圧片部を複数設けると共に、その裏面側先端部に湾曲面を形成してカバーガラス１２に圧接させることにより、カバーガラス１２の裏面１２ｅに沿って撓ませるようにしてもよい。
【図面の簡単な説明】
【００７４】
【図１】（ａ）は本発明の実施例１に係る計器の組み付け構造の図３（ａ）のＡ−Ａ線に沿って得られた断面図であり、（ｂ）は図１（ａ）の計器の組み付け構造のＸ部分を拡大した断面図である。
【図２】本発明の実施例１に係る計器の組み付け構造の分解斜視図である。
【図３】（ａ）は本発明の実施例１に係るハウジングアッパを前面側からみた場合の構成を示す説明図であり、（ｂ）は図３（ａ）のＡ−Ａ線に沿って得られた断面図である。
【図４】本発明の実施例１に係る計器の組み付け構造の分解斜視図である。
【図５】本発明の実施例１に係る計器の組み付け構造の要部を示す拡大図である。
【図６】（ａ）は本発明の実施例２に係る計器の組み付け構造の図３（ａ）のＡ−Ａ線に沿って得られた断面図であり、（ｂ）は図６（ａ）の計器の組み付け構造のＹ部分を拡大した断面図である。
【図７】（ａ）は本発明の実施例２に係る計器の組み付け構造の図３（ａ）のＡ−Ａ線に沿って得られた断面図であり、（ｂ）は図７（ａ）の計器の組み付け構造のＺ部分を拡大した断面図である。
【図８】従来技術に係る車両用計器の構成を示す断面図である。
【符号の説明】
【００７５】
１０、１００          計器の組み付け構造
１１                  ハウジングアッパ（ハウジング部材）
１１ａ                円筒開口部（開口部）
１１ｂ                連結開口部（開口部）
１１ｃ                押圧片部（押圧部）
１１ｇ                張出周縁（周縁）
１１ｈ                部分張出周縁（周縁）
１１ｍ、１１１ｍ      接触ピン部（先端部）
１２                  カバーフロント（板状部材）
１２ｅ                裏面
１３                  ライトカバー（カバー部材）
１３ｅ                円周底面（周縁）
【図１】
2007256241.tif 000003
【図２】
2007256241.tif 000004
【図３】
2007256241.tif 000005
【図４】
2007256241.tif 000006
【図５】
2007256241.tif 000007
【図６】
2007256241.tif 000008
【図７】
2007256241.tif 000009
【図８】
2007256241.tif 000010